(57)【特許請求の範囲】
【請求項１】
吸込口(11a) から浄化手段(20)を介して吹出口(12a) に至る空気風路(A-C) に風を流す風量可変な送風手段(27)を備えた空気清浄装置(1) において、
上記吹出口(12a) に変位可能に設けられ、吹出口(12a) からの吹出風の方向を規制する風向規制部材(31)と、
この風向規制部材(31)を変位させるステッピングモータ(32)とを備え、
吹出風が風向規制部材(31)を通過する直前の流れ方向と通過直後の流れ方向とでなす偏向角度(D1)に関して、吹出風の風量が大なるときの偏向角度が、吹出風の風量が小なるときの偏向角度よりも小さくなり、且つ吹出風の風量が大なるときの偏向角度の変動範囲の幅を、吹出風の風量が小なるときの偏向角度の変動範囲の幅よりも相対的に小さくなるように、風向規制部材(31)は、ステッピングモータ(32)により連続的に往復変動変位されることを特徴とする空気清浄装置。
【発明の詳細な説明】
【０００１】
【発明の属する技術分野】
空気清浄装置に関する。
【０００２】
【従来の技術】
例えば、空気清浄装置の内部には、空気風路が区画されており、そこを通過する間に空気が清浄化される。そして、きれいな空気は、吹出口から吹き出される。
ところで、床面または卓上設置型の空気清浄装置には、前面に吸込口、上面に吹出口を有するものがある。このような空気清浄装置を、壁面設置型に兼用する場合があり、壁面に設置する際には、上面の吹出口に、吹出風の方向を前方に向けるフードを、後付け部品として固定して取りつけていた。
【０００３】
【発明が解決しようとする課題】
しかしながら、後付け部品のフードを付け忘ることも想定される。フードを装着しない状態で空気清浄装置が運転されると、吹出風は天井面に吹き付けられてしまい、吹出風が部屋内の隅々にまで行き渡らない場合がある。
また、フードが装着されている場合であっても、固定されたフードは、吹出風を一定の方向に向けて整流するので、吹出風が部屋内の隅々にまで十分に行き渡らない場合がある。
【０００４】
そこで、本発明の目的は、上述の技術的課題を解決し、吹出風を広い範囲に行き渡らせることのできる空気清浄装置を提供することである。
【０００５】
【課題を解決するための手段および発明の効果】
請求項１に記載の発明は、吸込口から浄化手段を介して吹出口に至る空気風路に風を流す風量可変な送風手段を備えた空気清浄装置において、上記吹出口に変位可能に設けられ、吹出口からの吹出風の方向を規制する風向規制部材と、この風向規制部材を変位させるステッピングモータとを備え、吹出風が風向規制部材を通過する直前の流れ方向と通過直後の流れ方向とでなす偏向角度に関して、吹出風の風量が大なるときの偏向角度が、吹出風の風量が小なるときの偏向角度よりも小さくなり、且つ吹出風の風量が大なるときの偏向角度の変動範囲の幅を、吹出風の風量が小なるときの偏向角度の変動範囲の幅よりも相対的に小さくなるように、風向規制部材は、ステッピングモータにより連続的に往復変動変位されることを特徴とする。
【０００６】
この発明によれば、風向規制部材をステッピングモータによって変位させることができるので、吹出風の方向を切り換えることができる結果、吹出風を部屋の隅々にまで行き渡らせることができる。特に、風向規制部材を変動変位させることにより、吹出風の方向を連続的に変化させることができるので、吹出風を変動させて部屋の隅々にまで確実に行き渡らせることができる。
【０００７】
また、吹出風の風量に応じた吹出風の偏向角度にできるので、吹出風をきめ細かく調整できる。特に、大風量での偏向角度を確実に小さくできるので、大風量且つ大偏向角度の際に生じる騒音を確実に低減することができる。
【０００８】
【発明の実施の形態】
本発明の好ましい実施形態を添付図面を参照しつつ説明する。
以下では、光触媒が汚染物質を浄化する機能と、イオン化による塵埃除去機能とを有した空気清浄装置１を例に説明する。
図１は、本発明の一実施の形態の空気清浄装置の分解斜視図である。図２は、図１の空気清浄装置の概略構成の断面側面図である。
【０００９】
空気清浄装置１は、内部に空気風路を区画する箱状のハウジング１０と、ハウジング１０内の空気風路に風を流す送風手段としての送風ファン２７とを備えている。ハウジング１０は、前ケース１１と後ケース１２とで構成され、空気風路の入口となる吸込口１１ａが前ケース１１前面に形成されている。また、後ケースの、空気風路の途中となる部分に送風ファン２７が設けられ、後ケース１２の上面１２ｅに空気風路の出口となる吹出口１２ａが形成されている。この吹出口１２ａには、吹出口１２ａからの吹出風の方向を規制するための風向調整装置３０が備えられている。
【００１０】
送風ファン２７は、例えば、所定の方向の通気流を生成するためのシロッコファンからなり、送風ファン用モータ２８で回転駆動される。送風ファン２７は、後ケース１２の後部に一体に形成されたケーシング１２ｄ内に取りつけられている。ケーシング１２ｄは、空気風路の一部を区画し、前面に前ケース１１内につながる開口を有し、また、上方の吹出口１２ａに連通している。
空気風路は、吸込口１１ａから、前ケース１１内、後ケース１２内を前から後ろへ流れて、ケーシング１２ｄ内で方向を上方に向けて、吹出口１２ａに至る風路である。送風ファン２７に入るまでの空気風路の部分で、空気は浄化手段２０によって浄化される。
【００１１】
浄化手段２０は、ハウジング１０内で空気風路に沿って順に配置された以下の各部によって構成されている。すなわち、比較的大きなごみや塵を除去するためのプレフィルタ２１と、空気風路に沿う流れ（通気流）中の塵埃粒子をイオン化するイオン化部２２と、イオン化された塵埃粒子を吸着する静電フィルタ２３ａおよび光触媒を担持した脱臭フィルタ２３ｂを含むロールフィルタ２３と、光触媒を保持するための光触媒エレメント２５と、光触媒エレメント２５等に紫外線を照射して光触媒を励起させることによって汚染物質を浄化させるための光源２６とが、通気流の流れ方向の上流から下流に向けて配置されている。
【００１２】
イオン化部２２は、通気流方向と直交する方向に延び且つ互いに平行な複数の放電線としてのイオン化線２２ａと、これらのイオン化線２２ａを挟んで対向配置された各一対の対向極板２２ｂとを備えている。イオン化部２２は、コロナ放電により生成するイオンシャワーにより通気流中の塵埃粒子を帯電させる。帯電された塵埃粒子は、静電フィルタ２３ａによって電気的に吸着される。
光触媒エレメント２５は、紫外線の照射を受けて臭い成分等を分解する光触媒を、通気面を有する光触媒担持体の表面または内部に担持している。光触媒は、光を吸収してそのエネルギを反応物質に与えて化学反応をおこさせる物質を意味し、具体的には、アナタース型の結晶構造を有する酸化チタン（ＴｉＯ2 ）、酸化亜鉛（ＺｎＯ）および酸化タングステン（ＷＯ3 ）を例示できる。光源２６は、例えば、波長３２０〜４２０ｎｍの光を発することができ、この光が、光触媒を活性化させて汚染物質を浄化することができる。
【００１３】
この空気清浄装置１によれば、送風ファン２７を運転すると、空気は、吸込口１１ａから吸い込まれ、上述の空気風路を流れる間に、プレフィルタ２１で比較的大きな塵埃が捕獲され、細かな塵埃がイオン化部２２で帯電されて静電フィルタ２３ａで捕獲され、臭い成分等の汚染物質が光触媒エレメント２５および脱臭フィルタ２３ｂで浄化される。このようにして浄化された空気が、吹出口１２ａから吹き出される（矢印Ａ〜Ｃ）。
【００１４】
ところで、この空気清浄装置１では、床面ＴＦまたは卓上に設置される第１の設置態様、および壁面Ｗ０に設置される第２の設置態様が選択可能である。このため、ハウジング１０は、各設置態様での設置にそれぞれ用いる部分を有している。また、吹出口１２ａからの吹出風は、選択された設置態様に適した方向に向けて風向調整装置３０によって吹き出されるようにされている。
以下、詳細に説明する。
【００１５】
ハウジング１０の後ケース１２の後面には、第２の設置態様で使用する際に用いることができるフック部１２ｂが一体に形成されている。このフック部１２ｂを、壁面Ｗ０に固定された取付金具Ｗ１に引っ掛け係合させて、空気清浄装置１を壁面Ｗ０に設置することができる。また、後ケース１２の下面には、第１の設置態様で使用する際に用いることができる複数箇所の脚部１２ｃが一体に形成されている。
【００１６】
風向調整装置３０は、吹出口１２ａに変位可能に設けられて吹出風の方向を規制する風向規制部材としてのフラップ３１と、このフラップ３１を変位させる駆動機構としてのステッピングモータ３２（ＳＰモータ）とを備えている。
フラップ３１は、吹出風を偏向させる、例えば、凹湾曲面からなる下面３１ｂを有した板状部材であり、吹出口１２ａとほぼ同じ大きさの一枚板状に形成されている。フラップ３１は、後端縁近傍に設けられた、水平方向に一直線上に延びた一対の回転中心軸３１ａを有し、これらの回転中心軸３１ａは、後ケース１２に回転自在に支持されている。また、一方の回転中心軸３１ａは、ステッピングモータ３２の出力軸に直結状態で駆動連結されている。
【００１７】
ステッピングモータ３２は、所定の駆動信号を入力されると、その信号に応じた角度位置に出力軸を変位することができる。
フラップ３１の動作を説明する。ステッピングモータ３２を駆動すると、フラップ３１が回転中心軸３１ａを中心として回転変位するので、吹出口１２ａを通る空気の流れを偏向させて、吹出風がフラップ３１を通過する直前の流れ方向と通過直後の流れ方向とでなす偏向角度（図３にＤ１で図示）を異ならせることができる。その結果、吹出風の吹出方向を、例えば、下から上へ向かう流れ方向から、前向き寄りに変化させることができる。
【００１８】
フラップ３１には、設置態様や風量に応じて複数の規制位置が予め設定されている。フラップ３１は、後述するように、各規制位置で停止され、それに応じて吹出風の方向も決められる。また、フラップ３１は、規制位置を含むある範囲内の位置間で変動変位され、それに応じて吹出風の方向も変化する。
フラップ３１の規制位置は、具体的には以下の各位置が各設置態様に応じてそれぞれ設定されている。例えば、フラップ３１を後ケース１２上面１２ｅと面一状に収納して吹出口１２ａを閉成状態とした閉成位置（Ｐ０）。閉成位置から吹出口１２ａを開ける方向（図３で時計回り方向）にフラップ３１を２０度回転変位させた第１の位置（Ｐ１）。第１の位置から上述の開ける方向にフラップ３１を１０度上向きに回転変位させた第２の位置（Ｐ２）。第２の位置から開ける方向にフラップ３１を１０度回転変位させた第３の位置（Ｐ３）。第３の位置から開ける方向にフラップ３１を３０度回転変位させて、フラップ３１を吹出口１２ａに略起立状態として吹出口１２ａを開成状態とした第４の位置（Ｐ４）。上述の閉成状態のときには、吹出風の方向となる、フラップ３１の下面３１ｂの前端部の前向きに延びる方向と、水平方向とがなす角度（以下、吹出角度といい、図３にＤ２で図示）は、ほぼ０度とされている。また、第１の位置のフラップ３１からの吹出角度は、水平方向に対して上向きに略２０度である。第２の位置での吹出角度は略３０度、第３の位置での吹出角度は略４０度、第４の位置での吹出角度は略７０度に設定されている。
【００１９】
このように、本空気清浄装置を上述の設置態様の何れかで使用する際、その設置態様に応じた規制位置にフラップ３１を駆動機構によって変位させることができるので、吹出風を設置態様に適した方向に切り換えることができる結果、吹出風を部屋の隅々にまで行き渡らせることができる。
また、空気清浄装置１は、駆動機構を介してフラップ３１の位置を制御するための制御手段としての制御部４０と、第１および第２の設置態様のいずれであるかを設定する設定手段としての設置スイッチ３３（設置ＳＷ）と、制御部４０に対して各種設定や指令を与えて操作するための操作手段としての操作パネル３４およびリモコン操作装置３５とを備えている。
【００２０】
制御部４０は、ハウジング１０内に設けられており、マイクロコンピュータ等により構成されたＣＰＵ、ＲＡＭ、ＲＯＭ等を含んでいる。制御部４０は、ＲＯＭ等に記憶されたプログラムやデータ等に基づいて制御を行なう。また、制御部４０は、クロック（図示せず）を含み、後述するようにステッピングモータ３２を一時停止する際の間隔を計時することができる。
制御部４０は、設置スイッチ３３および操作パネル３４と接続されており、設置スイッチ３３や、操作パネル３４の各スイッチからの信号が入力される。また、制御部４０には、赤外線等を介して信号を受信できる接続回路（図示せず）が接続されており、空気清浄装置本体と分離して設けられた遠隔操作用のリモコン操作装置３５からの信号を制御部４０に入力することができる。
【００２１】
また、制御部４０は、送風ファン用モータ２８、ステッピングモータ３２等の動作を駆動回路（図示せず）を介して制御することができる。例えば、送風ファン用モータ２８は、風量可変に駆動され、操作手段からの指令に応じて、吹出風の風量を、大風量（風量Ｈ）、中風量（風量Ｍ）、小風量（風量Ｌ）および微風量（風量ＬＬ）とすることができる。ここで、風量間の関係は、Ｈ＞Ｍ＞Ｌ＞ＬＬである。
【００２２】
設置スイッチ３３は、手動操作可能なスイッチである。設置スイッチ３３は、第１および第２の設置態様に応じた２つの状態、例えば、開状態と閉状態に操作することができ、その状態を保持することができるものである。設置スイッチ３３は、後ケース１２前面に配置されており、不案内なユーザによる不適切な操作を防止するために、前ケース１１を取り外した状態で操作可能とされている。なお、設定手段は、上述のように手動操作に応答するものでもよいが、設置態様を自動的に設定するように構成してもよい。
【００２３】
このように、設置スイッチ３３によって何れかの設置態様が設定されると、設定された設置態様に応じた規制位置にフラップ３１を制御手段によって自動的に変位できるので、設置態様に適した方向の吹出風を確実に得ることができる。
操作手段は、具体的に、本空気清浄装置の各部を運転するための以下の各スイッチを有している。これらの各スイッチは、操作パネル３４およびリモコン操作装置３５の両方に設けられている。各スイッチは、人間の操作を受けて、所定の信号を制御部４０に出力する。これらのスイッチとしては、電源を入り切りするための電源スイッチ、送風ファン２７および浄化手段２０を運転して空気清浄運転するためのスタートスイッチ、吹出風の風量を設定するための風量スイッチ、フラップ３１の規制位置に関わる信号として、フラップ３１を変動変位させるスイング運転の指令（スイング入力）を行なうためのスイングスイッチ等を例示できる。
【００２４】
このように、設定手段に加えて操作手段を備えたことによって、設定手段および操作手段からのそれぞれの信号に基づいて、制御手段はフラップ３１の位置を高い自由度で制御することができるので、ニーズに合わせた吹出風を得ることができる。
なお、本実施の形態では、操作手段は、後述するように設置態様に応じて操作内容が限定されており、これにより、設置態様に応じて予め想定される状況に適した吹出風を確実に得ることができる。また、操作手段の操作内容に、上述のような限定を設けなくとも構わず、操作手段が、フラップ３１の規制位置に関わる信号として、任意の規制位置や位置変動範囲を設定する信号を出力できるようにしてもよい。この場合には、設置態様に応じて予め想定できないような状況で使用される場合であっても、それに適した吹出風を得ることができる。
【００２５】
次に、制御内容を説明する。
本空気清浄装置１では、上述のように設定された設置態様の内容に応じて、自動的に、または、手動操作によって選択可能にして運転される。以下、▲１▼第１の設置態様であるときに、スイング運転させる場合、▲２▼第１の設置態様であるときに、スイング運転しない場合、▲３▼第２の設置態様の場合のそれぞれについて、図４〜図８のフローチャートを参照しつつ説明する。また、図９（ａ）〜（ｌ）に、それぞれの場合のフラップ３１の位置の模式図を、設置態様、スイング入力および風量に応じて図示している。
【００２６】
この空気清浄装置では、これが設置されている設置態様が、いずれの設置態様であるかは、設置スイッチ３３を手動操作することによって予め設定されている。
先ず、図４を参照する。
▲１▼  第１の設置態様である場合に、スイング運転させる場合。
電源投入されると、最初に、スイング入力を受け付けないようにされる（ステップＳ１）。次に、ステッピングモータ３２を駆動して、フラップ３１を閉成位置となるようにして、フラップ３１を復帰動作させる（ステップＳ２）。次いで、設置スイッチ３３に設定された内容を読み込む（ステップＳ３）。
【００２７】
ステップＳ４では、設置スイッチ３３に設定された内容に基づいて、設置態様を判断する。すなわち、設置スイッチ３３が閉状態（Ｈ）であれば、第１の設置態様（卓上設置）であると判断できる。一方、設置スイッチ３３が開状態（Ｌ）であれば、第２の設置態様（壁面設置）であると判断できる。この判断された内容に応じて、制御が行なわれる。
第１の設置態様では（ステップＳ４でＹＥＳ）、図５に示すスイング制御（ステップＳ５）が行なわれる。
【００２８】
操作手段によって、風量等の設定が行なわれた後、スタートスイッチの操作により運転が開始される。これにより、スイング制御が開始される（ステップＳ２１でＹＥＳ）、まず、フラップ３１を初期位置に変位させるフラップ位置セット処理（ステップＳ２２）が行なわれる。ここでの初期位置は、フラップ３１を変動変位させる際の開始位置である。
フラップ位置セット処理では、図７に示すように、先ず、設置スイッチ３３の内容に応じて（ステップＳ１１でＹＥＳ）、スイング入力の受付禁止が解除され（ステップＳ１２）、フラップ３１の往復変動または停止を選択することができるようにされる。次に、ステッピングモータ３２の回転速度が設定される（ステップＳ１３）。この回転速度は、往復変動させる際の回転速度よりも速く、例えば、２倍に設定されており、フラップ３１を開始位置に速やかに配置することができる。
【００２９】
第１の設置態様である場合には（ステップＳ１４でＮＯ）、吹出風の風量に応じて、初期位置が設定されている。すなわち、風量がＬＬまたはＬの場合には（ステップＳ１５でＹＥＳ）、フラップ３１が第３の位置に変位するようにステッピングモータ３２が駆動される（ステップＳ１６）。また、風量がＭまたはＨの場合には（ステップＳ１５でＮＯ）、フラップ３１が第４の位置に変位するようにステッピングモータ３２が駆動される（ステップＳ１７）。
【００３０】
図５に戻って説明する。
その後、スイング入力および運転停止入力の有無が常時、監視されつつ、制御が行なわれる。
ステップＳ２３では、スイング入力の有無が判断される。スイング運転の場合（ステップＳ２３でＹＥＳ）、まず、ステッピングモータ３２の回転速度が設定される（ステップＳ２４）。この回転速度は、フラップ３１を往復変動させる際の回転速度である。例えば、毎秒５度の回転速度に設定される。
【００３１】
次に、吹出風の風量に応じて、フラップ３１の位置制御の内容が設定されている。すなわち、風量がＨの場合には（ステップＳ２５でＹＥＳ）、フラップ３１が第４の位置と第３の位置の間を連続的に往復変動するように、ステッピングモータ３２が駆動される（ステップＳ２６）（図９の（ａ）参照）。
また、風量がＭの場合には（ステップＳ２５でＮＯ，ステップＳ２７でＹＥＳ）、フラップ３１が第４の位置と第２の位置の間を連続的に往復変動するように、ステッピングモータ３２が駆動される（ステップＳ２８）（図９の（ｂ）参照）。
【００３２】
また、風量がＬの場合には（ステップＳ２７でＮＯ，ステップＳ２９でＹＥＳ）、フラップ３１が第４の位置と第１の位置の間を連続的に往復変動するように、ステッピングモータ３２が駆動される（ステップＳ３０）（図９の（ｃ）参照）。
また、風量がＬＬの場合（ステップＳ２９でＮＯ）、フラップ３１が第３の位置で停止するようにされている（ステップＳ３１）（図９の（ｄ）参照）。
【００３３】
このように、風量に応じたフラップ３１の位置により、風量に応じて適切な方向の吹出風を得ることができる。
その後、図４に示すように、運転停止が指令されると（ステップＳ７でＹＥＳ）、停止処理が行なわれる（ステップＳ８）。
停止処理は、図８に示すように、まず、スイング入力を受け付けないようにされ（ステップＳ８１）、次に、フラップ３１を閉成位置に変位させるように、ステッピングモータ３２を駆動する（ステップＳ８２）。このように、運転停止時には、フラップ３１によって吹出口１２ａが閉じられているので、吹出口１２ａから塵等が入り込んだりすることを防止することができる。
【００３４】
▲２▼  第１の設置態様である場合に、スイング運転させない場合
この場合には、ステップＳ５のスイング制御の内容が、上述の▲１▼の場合と異なっている。
先ず、図５に示すように、フラップ位置セット処理（ステップＳ２２）で変位される初期位置は、フラップ３１を停止させておく規制位置となる。上述のように、風量がＬＬまたはＬの場合には（図７のステップＳ１５でＹＥＳ）、フラップ３１は第３の位置に停止される（ステップＳ１６）。また、風量がＭまたはＨの場合には（ステップＳ１５でＮＯ）、フラップ３１は第４の位置に停止される（ステップＳ１７）。
【００３５】
スイング運転されない場合には（図５のステップＳ２３でＮＯ）、上述のように規制位置で停止されたフラップ３１によって、吹出風の方向が決められる。すなわち、風量ＭまたはＨの場合、フラップ３１は第４の位置に停止し（図９の（ｅ），（ｆ）参照）、風量ＬまたはＬＬの場合、フラップ３１は第３の位置に停止する（図９の（ｇ），（ｈ）参照）。
その後、上述のように、運転停止が指令されると（図４のステップＳ７でＹＥＳ）、停止処理が行なわれる（ステップＳ８）。
【００３６】
このように、操作手段は、第１の設置態様であることが設定されるときに、フラップ３１を停止させておくように操作することができることによって、快適な空気清浄装置１を実現することができる。というのは、第１の設置態様の空気清浄装置は、一般に床面や卓上等、ユーザの近くに設置される場合が想定されるので、吹出風の方向を固定したい場合もある。例えば、きれいな吹出風をユーザに向けたい場合や、逆に、不快なドラフト感を避けるために吹出風を回避したい場合である。このような場合に、停止したフラップ３１は吹出風の方向を固定することができるので、例えば、吹出風がユーザに当たらないようにできる結果、不快なドラフト感を確実に防止できる。また、吹出風をユーザに向けて快適感を得ることができる。
【００３７】
特に、第１の設置態様であることが設定され、且つ操作手段によりフラップ３１を停止させておくように操作されたときに、フラップ３１は風量に応じた停止位置に停止するようにされている（図９（ｅ）〜（ｈ）参照）。これによって、吹出風を風量に応じた吹出風の方向に固定できるので、吹出風に起因するドラフト感を風量に応じて確実に防止することができる。例えば、大風量の吹出風は不快なドラフト感を与えやすいので、吹出風がユーザに向かないようにするのがよい。また、操作を簡素化することができる。
【００３８】
さらに、フラップ３１を風量に応じて停止させる停止位置は、大風量時には吹出風の方向が相対的に上向きにするようにし、小風量時には吹出風の方向が相対的に前向きにするようされている。これによって、相対的に上向きの大風量の吹出風は、ユーザに当たり難いので、ユーザにドラフト感を与えずに済む。また、ドラフト感の虞のない小風量時には、前向きで快適な吹出風とすることができる。
【００３９】
例えば、相対的に大なる風量Ｈではフラップ３１は第４の位置にあり、これに対して、相対的に小なる風量Ｌではフラップ３１は第３の位置にある。
なお、相対的に上向きとは、真上方向に近いことであり、相対的に前向きとは、真正面方向に近いことである。例えば、第４の位置にあるフラップ３１は、第３の位置に対して相対的に上向きであり、逆に、第３の位置にあるフラップ３１は、第４の位置に対して相対的に前向きである。
【００４０】
▲３▼  第２の設置態様の場合
この場合には（図４のステップＳ４でＮＯ）、フラップ制御（ステップＳ６）が行なわれる。この▲３▼の場合には、操作手段によるスイング入力は受け付けないようにされており、予め設定された態様でフラップ３１の位置が制御される。
図６に示すように、操作手段によって風量等の設定が行なわれた後、スタートスイッチの操作により、運転が開始されると、フラップ制御が開始される（ステップＳ６１でＹＥＳ）。まず、フラップ３１を初期位置に変位させるフラップ位置セット処理（ステップＳ６２）が行なわれる。
【００４１】
フラップ位置セット処理では、図７に示すように、▲３▼の場合（ステップＳ１１でＮＯ）、即座にステッピングモータ３２の回転速度が設定される（ステップＳ１３）。
第２の設置態様である場合には（ステップＳ１４でＹＥＳ）、吹出風の風量に関係なく、初期位置が設定されている。すなわち、フラップ３１が第３の位置に変位するように、ステッピングモータ３２が駆動される（ステップＳ１６）。これにより、制御の簡素化が図られている。これは、第２の設置態様の空気清浄装置は天井に接近して設置されることが想定され、吹出風の方向の採用できる範囲が狭くなる結果、フラップ３１の規制位置の範囲も狭いからである。
【００４２】
図６に戻って説明する。
その後、運転停止入力の有無が常時、監視されつつ、運転が行なわれる。
先ず、ステッピングモータ３２の回転速度が設定される（ステップＳ６３）。この回転速度は、フラップ３１を往復変動させる際の回転速度である。例えば、毎秒５度の回転速度に設定される。
次に、吹出風の風量に応じてフラップ３１が位置制御される。
【００４３】
風量がＨの場合には（ステップＳ６４でＹＥＳ）、フラップ３１が第３の位置で停止するようにされている（ステップＳ６５）（図９の（ｉ）参照）。
また、風量がＭの場合には（ステップＳ６４でＮＯ，ステップＳ６６でＹＥＳ）、フラップ３１が第３の位置と第２の位置の間を、両位置で一時停止しながら往復変動するように、ステッピングモータ３２が駆動される（ステップＳ６７）。例えば、フラップ３１は第３の位置から第２の位置へ変位し、第２の位置で例えば、１０秒間停止した後、第２の位置から第３の位置へ変位し、第３の位置で例えば、１０秒間停止する、このサイクルが繰り返される（図９の（ｊ）参照）。
【００４４】
また、風量がＬの場合には（ステップＳ６６でＮＯ）、フラップ３１が第３の位置と第１の位置の間を、両位置で一時停止しながら往復変動するように、ステッピングモータ３２が駆動される（ステップＳ６８）。例えば、フラップ３１は第３の位置から第１の位置へ変位し、第１の位置で例えば１０秒間停止した後、第１の位置から第３の位置へ変位し、第３の位置で例えば１０秒間停止する、このサイクルが繰り返される（図９の（ｋ）参照）。
【００４５】
風量がＬＬの場合には（ステップＳ６４でＹＥＳ）、フラップ３１が第３の位置で停止するようにされている（ステップＳ６５）（図９の（ｌ）参照）。
このように、風量に応じたフラップ３１の位置および動きにより、風量に応じて適切な方向の吹出風を得ることができる。
その後、図４に示すように、操作手段から運転停止が指令されると（ステップＳ７でＹＥＳ）、停止処理が行なわれる（ステップＳ８）。
【００４６】
このように、第２の設置態様であることが設定されるときには、フラップ３１の位置が、例えば、第３の位置〜第１の位置に制御されており、吹出風の方向と水平方向とでなす角度Ｄ２が、４０度以下にされ、吹出風の天井面への吹き付けを抑制できる角度以下になるようにされている。このように、吹出風の方向を水平方向に対して上限角度以下とすることによって、吹出風の天井面への吹き付けを抑制できるので、吹出風の吹き付けに起因する天井面の汚れを防止することができる。ここで、抑制できる角度の上限角度としては、７０度を例示できる。
【００４７】
また、第２の設置態様であることが設定されるときには、この設置態様に応じた規制位置にフラップ３１は停止するようにされている。例えば、第２の設置態様での風量Ｈおよび風量ＬＬの場合に、フラップ３１は第３の位置に停止している。これによって、第２の設置態様の空気清浄装置は、一般に壁面の高い位置に固定されているので、フラップ３１を停止させて吹出風の方向を固定していても、吹出風を部屋の隅々にまで行き渡らせることができ、しかも、フラップ３１を停止させておくので、制御を簡素化することができる。また、フラップ３１を停止させて吹出風の方向を固定しているので、吹出風の天井面への吹き付けを確実に防止できる結果、吹出風の吹き付けに起因する天井面の汚れを確実に防止することができる。
【００４８】
また、制御部４０は、第２の設置態様であることが設定されているときに、操作手段からの信号を受け付けないようにされている。このように、信号を受け付けないことで、制御や操作を簡素化でき、しかもユーザの操作に起因した不適切な方向の吹出風を確実に防止することができる。例えば、天井面の汚れを生じる虞のある上向きの吹出風を確実に防止することができる。
このように本実施の形態によれば、吹出口１２ａのフラップ３１を駆動機構で変位させることによって、この空気清浄装置を、第１および第２の設置態様の何れかで使用する際に、その設置態様に適した方向の吹出風を図９に示すように得られるので、その吹出風を部屋の隅々にまで行き渡らせることができる。
【００４９】
特に、フラップ３１を変動変位させる場合には、吹出風を変動させて部屋の隅々にまで確実に行き渡らせることができる。例えば、上述の▲１▼の場合で風量Ｈ，Ｍ，Ｌの場合、および▲３▼の場合で風量Ｍ，Ｌの場合である。
また、設定手段で設置態様を設定することによって、自動的に設置態様に適した方向の吹出風を確実に得ることができる。
また、第２の設置態様の場合に、フラップ３１を第１〜第３の位置にして、吹出風の方向を制御して、角度Ｄ２を上限角度以下とし、吹出風の天井面への吹き付けを抑制できるので、吹出風の吹き付けに起因する天井面の汚れを防止することができる。
【００５０】
また、第１の設置態様であることが設定されるときには、吹出風の方向を相対的に上向きにし、第２の設置態様であることが設定されるときには、吹出風の方向を相対的に前向きにするように、フラップ３１の位置が制御されている。これによって、第１の設置態様の空気清浄装置１は、一般に床面や卓上等、部屋内の低い位置にあるので、吹出風の方向を、第２の設置態様のときよりも相対的に上向きとすることにより、吹出風を部屋の隅々にまで確実に行きわたらせることができる。また、第２の設置態様の空気清浄装置１は、一般に壁面の高い位置に固定されているので、吹出風の方向を相対的に前向きにすることにより、吹出風を部屋の隅々にまで確実に行きわたらせることができる。また、第２の設置態様では、吹出風の方向を前向きにすることにより、吹出風の天井面への吹き付けを防止できるので、吹き付けに起因する天井面の汚れを確実に防止することができる。
【００５１】
例えば、図９（ａ）〜（ｃ）の各場合は、図９（ｉ）〜（ｋ）の各場合に対して、相対的に上向きになる吹出風の方向を含んでいる。また、図９（ｅ），（ｆ）の各場合は、図９（ｉ），（ｊ）の各場合に対して、相対的に上向きになる吹出風の方向に設定されている。また、図９（ｋ）の場合は、図９（ｇ）の場合に対して、相対的に前向きになる吹出風の方向を含んでいる。
また、第２の設置態様であることが設定されるときには、吹出風の方向の変動範囲を相対的に小さくし、第１の設置態様であることが設定されるときには、吹出風の方向の変動範囲を相対的に大きくするように、フラップ３１は変動変位されている。これによって、一般に床面や卓上等の部屋内の低い位置に設置される第１の設置態様の空気清浄装置１において、吹出風の方向の変動範囲を大きくすることで、吹出風を部屋の隅々にまで確実に行き渡らせることができる。また、第２の設置態様の空気清浄装置１は、一般に壁面の高い位置に固定されているので、吹出風の方向の変動範囲を少なくしても、吹出風を部屋の隅々にまで確実に行き渡らせることができる。また、第２の設置態様の空気清浄装置１は、壁面の高い位置に固定されて天井に接近している場合があるので、吹出風の方向の変動範囲を小さくすることで、吹出風の天井面への吹き付けを確実に防止できる。その結果、吹出風の吹き付けに起因する天井面の汚れを確実に防止することができる。
【００５２】
例えば、図９（ａ）〜（ｃ）の各場合は、図９（ｉ）〜（ｋ）の各場合に対して、吹出風の方向の変動範囲が相対的に大きくなるようにされている。
また、図９（ｉ），（ｌ）に示すように、第２の設置態様のときにフラップ３１を停止させて吹出風の方向を固定することによって、吹出風を部屋の隅々にまで行き渡らせつつ、簡単に制御することができる。しかも、固定された吹出風は、上述の天井面の汚れを確実に防止することができる。
【００５３】
また、▲３▼の場合に示したように、第２の設置態様のときに操作手段からの信号は受け付けられないので、制御や操作を簡素化でき、しかもユーザの操作に起因した不適切な方向の吹出風、例えば、上述の天井面の汚れを生じる吹出風を確実に防止することができる。なお、操作手段からの信号の一部、例えば、スイング入力信号だけが、制御部４０によって受け付けられないだけであっても構わない。
【００５４】
また、ユーザの近くであることが想定される第１の設置態様のときには、上述の▲２▼の場合のように、吹出風の方向を、ユーザの好みで固定することができるので好ましい。例えば、きれいな吹出風をユーザに向けて快適感を得られる。逆に、吹出風がユーザに当たらないようにして不快なドラフト感を確実に避けることができる。
特に、第１の設置態様で吹出風の方向を固定する際に、この方向を風量に応じて固定できるので、例えば、不快なドラフト感を与えやすい大風量の吹出風をユーザに向かないようにして、ドラフト感を風量に応じて確実に防止することができ、しかも、操作を簡素化することができる。
【００５５】
さらに、第１の設置態様で吹出風の方向を風量に応じて固定する際、大風量の吹出風を相対的に上向きにして、ドラフト感を防止でき、また、ドラフト感の虞のない小風量時には、前向きで快適な吹出風とすることができる。
また、駆動機構で変位するフラップ３１は，吹出風の方向を分散させるための機構と、吹出風の方向を設置態様に応じて規制するための機構とを兼用しているので、空気清浄装置１の構造を簡素化することができる。
【００５６】
また、吹出風の風量に応じた偏向角度Ｄ１になるように、フラップ３１は制御されている。これにより、吹出風を風量に応じた偏向角度Ｄ１にできるので、吹出風をきめ細かく調整できる結果、例えば、大風量での騒音を低減することができる。
特に、吹出風の風量に応じた偏向角度としては、吹出風の風量が大なるときの偏向角度が、吹出風の風量が小なるときの偏向角度よりも小さくなる大小関係が成り立つようにされている。これによって、大風量での偏向角度を確実に小さくできるので、大風量且つ大偏向角度の際に生じる騒音を確実に低減することができる。なお、この大小関係は、一部で成り立てばよい。
【００５７】
例えば、図９（ａ）〜（ｃ）の各場合では、小風量程、偏向角度Ｄ１が大きくなる方向を含んでいる。また、図９（ｅ）〜（ｈ）の各場合では、風量Ｈ，Ｍでの偏向角度Ｄ１は、風量Ｌ，ＬＬでの偏向角度Ｄ１に対して小さくされている。また、図９（ｉ）〜（ｋ）の各場合では、小風量程、偏向角度Ｄ１が大きくなる方向を含んでいる。
また、フラップ３１が往復変動変位する場合には、吹出風の風量が大なるときの偏向角度の変動範囲の幅を、吹出風の風量が小なるときの偏向角度の変動範囲の幅よりも小さくなる大小関係が成り立つようにしている。これによって、変動範囲のなかで最も大きい偏向角度を小さくできるので、吹出風の過度な偏向を防止できる結果、上述の騒音をより一層確実に低減することができる。特に、大風量のときの変動範囲の幅のなかの最大の偏向角度が、小風量のときの変動範囲の幅のなかの最大の偏向角度よりも小さければより好ましい。
【００５８】
例えば、図９（ａ）〜（ｃ）の各場合では、小風量程、偏向角度の変動範囲の幅が大きくなっている。また、図９（ｋ）の場合は、より大風量の図９（ｊ）の場合に比べて、偏向角度の変動範囲の幅が大きくなっている。
また、風量がＬＬの場合には、図９（ｄ），（ｈ），（ｌ）に示すように、スイング運転不可にして、フラップ３１を停止させている。これにより、駆動機構の動作音を防止して、運転音をより一層低くすることができる。
【００５９】
また、この空気清浄装置１では、吹出口１２ａがハウジング１０の上面１２ｅにあるので、一般に吹出風を前方へ促すことが必要である関係上、吹出風の偏向角度Ｄ１が大きくなって、騒音が大きくなる傾向にある。このような場合でも、風量に応じた偏向角度Ｄ１としているので、大風量での騒音を抑えることができる。
なお、上述の実施の形態では、吹出口１２ａは、ハウジング１０の上面１２ｅに限定されず、例えば、ハウジング１０前面にあってもよい。
【００６０】
また、フラップ３１および駆動機構の構成は、上述のものに限定されない。例えば、フラップ３１は複数の部材で構成されたグリル状のものでもよい。また、駆動機構は、リンク機構等の運動変換機構や、位置検知センサ等を含んでもよい。要は、フラップ３１は、吹出口に変位可能に設けられ、各設置態様に応じた規制位置にて吹出口からの吹出風の方向を規制できる風向規制部材であればよく、また、駆動機構は、風向規制部材を規制位置に変位できればよい。
【００６１】
また、上述の実施の形態では、浄化手段２０としては、光触媒が汚染物質を浄化する機能とイオン化による塵埃除去機能とを有するものを例示したが、これには限定されない。例えば、何れか一方の機能だけでもよい。また、他の公知の浄化手段も利用できる。要は、浄化手段を通る風が吹出口から吹き出される空気清浄装置に、本発明を適用することができる。
その他、本発明の要旨を変更しない範囲で種々の設計変更を施すことが可能である。
【図面の簡単な説明】
【図１】本発明の一実施の形態の空気清浄装置の分解斜視図である。
【図２】図１の空気清浄装置の概略構成の断面側面図である。
【図３】図１の空気清浄装置の風向調整装置の断面側面図である。
【図４】図１の空気清浄装置の制御内容の概要のフローチャートである。
【図５】図４のスイング制御の詳細のフローチャートである。
【図６】図４のフラップ制御の詳細のフローチャートである。
【図７】図４のフラップ位置セット処理の詳細のフローチャートである。
【図８】図４の停止処理の詳細のフローチャートである。
【図９】図１の空気清浄装置のフラップの位置の模式図であり、（ａ）〜（ｌ）に設置態様、スイング入力および風量に応じて図示されている。
【符号の説明】
１  空気清浄装置
１０  ハウジング
１１ａ  吸込口
１２ａ  吹出口
１２ｂ  フック部（第２の設置態様に用いられる部分）
１２ｃ  脚部（第１の設置態様に用いられる部分）
２０  浄化手段
２７  送風ファン（送風手段）
３１  フラップ（風向規制部材）
３２  ステッピングモータ（駆動機構）
３３  設置スイッチ（設定手段）
３４  操作パネル（操作手段）
３５  リモコン操作装置（操作手段）
４０  制御部（制御手段）
矢印Ａ〜Ｃ  空気風路
Ｄ２  吹出風の方向と水平方向とでなす角度
Ｐ１〜Ｐ４  規制位置
ＴＦ  床面
Ｗ０  壁面
【図１】
0003698122.tif 000002
【図２】
0003698122.tif 000003
【図３】
0003698122.tif 000004
【図４】
0003698122.tif 000005
【図５】
0003698122.tif 000006
【図６】
0003698122.tif 000007
【図７】
0003698122.tif 000008
【図８】
0003698122.tif 000009
【図９】
0003698122.tif 000010